(57)【要約】【課題】建物内空間に外光が取り込まれている雰囲気を適宜作り出す。【解決手段】建物１０において、寝室１２の窓部２２にはシャッタ装置３１が設けられている。シャッタ装置３１はシャッタカーテン３２を有しており、シャッタカーテン３２は複数のスラット３５を有している。シャッタ装置３１にはスラット３５を開閉させるスラット駆動部３７が設けられている。スラット３５には、スラット全閉状態で屋内側となるスラット側面部にスラットＬＥＤが設けられている。建物１０には外光センサが設けられており、外光センサは寝室サーバと電気的に接続されている。寝室サーバは、外光センサの検出信号に基づいて実外光量と導入可能外光量とを算出し、それら実外光量や導入可能外光量に基づいてスラット駆動部３７及びスラットＬＥＤの動作制御を行う。【選択図】図１
2010248833.tif 000002
【特許請求の範囲】
【請求項１】
複数のスラットを有し建物の開口部に設けられたブラインドカーテンと、
前記スラットを開閉駆動するスラット駆動手段と、
前記スラットに設けられ、建物内空間に発光可能な発光手段と、
屋外における外光量に相関する外光量情報を取得する外光量情報取得手段と、
前記外光量情報取得手段により取得した外光量情報に基づいて前記スラット駆動手段及び前記発光手段を制御する制御手段と
を備えていることを特徴とする建物のブラインド制御システム。
【請求項２】
前記外光量情報取得手段は、前記外光量情報として、屋外における実際の外光量である実外光量、及び前記スラットを所定開放状態とすることで前記ブラインドカーテンを通じて前記建物内空間に導入可能となる外光量の少なくともいずれかを算出する手段を有する請求項１に記載の建物のブラインド制御システム。
【請求項３】
前記制御手段は、都度の起床時刻に基づいて、前記スラット駆動手段及び前記発光手段による覚醒制御を実施することを特徴とする請求項１又は２に記載の建物のブラインド制御システム。
【請求項４】
前記起床時刻における外光量の基準となる起床時基準外光量を設定する手段を備え、
前記制御手段は、前記起床時刻において前記外光量情報取得手段により取得した外光量情報に基づき、前記起床時基準外光量に対して外光量が不足している場合に前記発光手段を発光させることを特徴とする請求項３に記載の建物のブラインド制御システム。
【請求項５】
起床時刻以前の所定時点から同起床時間までの起床前期間における外光量の基準となる起床前基準外光量を設定する手段を備え、
前記制御手段は、前記起床前期間において前記外光量情報取得手段により取得した外光量情報に基づき、前記起床前基準外光量に対して外光量が不足している場合に前記発光手段を発光させることを特徴とする請求項３又は４に記載の建物のブラインド制御システム。
【請求項６】
ユーザが覚醒状態にあるかどうかを検出する覚醒状態検出手段を備え、
前記制御手段は、前記覚醒状態検出手段の検出結果に基づいて、前記発光手段に加えてこれとは別の屋内照明器具による発光を行わせることを特徴とする請求項３乃至５のいずれか１項に記載の建物のブラインド制御システム。
【請求項７】
前記制御手段は、前記ブラインドカーテンが遮光状態にある場合に、前記ブラインドカーテンによる遮光量に応じて前記発光手段を発光させることを特徴とする請求項１又は２に記載の建物のブラインド制御システム。
【請求項８】
前記制御手段は、前記外光量情報取得手段により取得した外光量情報と前記ブラインドカーテンのスラット開度とに基づいて前記遮光量を算出し、該算出した遮光量に基づいて前記発光手段を発光させることを特徴とする請求項７に記載の建物のブラインド制御システム。
【発明の詳細な説明】
【技術分野】
【０００１】
本発明は、建物のブラインド制御システムに関するものである。
【背景技術】
【０００２】
住宅等の建物において、ブラインドカーテンを有するブラインド装置が壁の窓に対して設けられている場合、ブラインドカーテンを採光状態に移行させることにより太陽光等の外光が窓から室内へ取り込まれ、遮光状態に移行させることにより外光が室内へ取り込まれない状態となる。例えば特許文献１には、人の起床時刻に合わせてブラインドカーテンを採光状態に移行させるブラインド装置の構成が記載されている。この構成によれば、目覚め時の室内照度が十分に確保されるため、起床する人に目覚めの心地良さが付与される。また、この構成においては天井付きの照明器具が設けられており、その照明器具によっても室内を明るくすることが可能となっている。
【先行技術文献】
【特許文献】
【０００３】
【特許文献１】特開２００５−３１０４３８号公報
【発明の概要】
【発明が解決しようとする課題】
【０００４】
しかしながら、上記特許文献１においては、屋外が暗い場合、ブラインドカーテンを採光状態に移行させても室内に外光を取り込むことができない。また、この場合に天井付きの照明器具を点灯させても、室内が明るくなるだけであって外光が室内へ差し込んでいるような雰囲気にはならない。したがって、ブラインド装置により室内の雰囲気を変える構成に関して改善の余地がある。
【０００５】
本発明は、建物内空間に外光が取り込まれている雰囲気を適宜作り出すことを主たる目的とする。
【課題を解決するための手段】
【０００６】
上記課題を解決するために、第１の発明は、複数のスラットを有し建物の開口部に設けられたブラインドカーテンと、前記スラットを開閉駆動するスラット駆動手段と、前記スラットに設けられ、建物内空間に発光可能な発光手段と、屋外における外光量に相関する外光量情報を取得する外光量情報取得手段と、前記外光量情報取得手段により取得した外光量情報に基づいて前記スラット駆動手段及び前記発光手段を制御する制御手段とを備えていることを特徴とする。
【０００７】
第１の発明によれば、ブラインドカーテンのスラットに設けられた発光手段を発光させる構成において、都度の外光量情報に基づいてスラット駆動手段及び発光手段が制御されるため、屋外の明るさに合わせて室内環境を変えることができる。また、この構成では、一般に天井等に設けられる照明器具を点灯させる場合とは異なり、ブラインドカーテンを通じて外光が導入されている場合と同様の又はそれに類似した状況を作り出すことができる。以上の結果、建物内空間に外光が取り込まれている雰囲気を適宜作り出すことができる。
【０００８】
第２の発明では、前記外光量情報取得手段は、前記外光量情報として、屋外における実際の外光量である実外光量、及び前記スラットを所定開放状態とすることで前記ブラインドカーテンを通じて前記建物内空間に導入可能となる外光量の少なくともいずれかを算出する手段を有する。
【０００９】
第２の発明によれば、外光量情報として、屋外における実際の外光量や、スラットを開放させた場合に建物内空間に導入される外光量が取得されるため、実際の屋外環境や建物内空間への外光量の導入状況を把握した上で好適なる制御を実現できる。
【００１０】
なお、前記外光量情報として前記実外光量が算出された場合、前記制御手段は、前記建物内空間における光量を前記実外光量又は所定の基準外光量に合致させるように前記スラット駆動手段及び前記発光手段を制御することが好ましい。実外光量に合致させる構成であれば、例えば、建物内空間の日当たりが悪い場合にその日当たりを改善したような雰囲気を作り出すことができるとともに、日当たりが良すぎる場合に日射による温度上昇を回避しつつ外光が取り込まれているような雰囲気を作り出すことができる。これに対して、基準外光量に合致させる構成であれば、屋外の明るさに関係なく所定の外光量が開口部から差し込んでいるような雰囲気を作り出すことができる。
【００１１】
第３の発明では、前記制御手段は、都度の起床時刻に基づいて、前記スラット駆動手段及び前記発光手段による覚醒制御を実施する。
【００１２】
第３の発明によれば、ブラインドカーテンを通じて外光が取り込まれているような雰囲気を起床時刻に合わせて作り出すことが可能となるため、ユーザに快適な目覚めをもたらすことができる。
【００１３】
第４の発明では、前記起床時刻における外光量の基準となる起床時基準外光量を設定する手段を備え、前記制御手段は、前記起床時刻において前記外光量情報取得手段により取得した外光量情報に基づき、前記起床時基準外光量に対して外光量が不足している場合に前記発光手段を発光させる。
【００１４】
第４の発明によれば、屋外の明るさに関係なく覚醒に必要な光量を建物内空間において確保することができる。したがって、例えば、雨天時において晴天時と比較して外光量が少ない場合や、冬季において日の出が夏季に比べて遅い場合があっても、起床時にはほぼ同様に建物内空間を明るくすることができる。
【００１５】
第５の発明では、起床時刻以前の所定時点から同起床時間までの起床前期間における外光量の基準となる起床前基準外光量を設定する手段を備え、前記制御手段は、前記起床前期間において前記外光量情報取得手段により取得した外光量情報に基づき、前記起床前基準外光量に対して外光量が不足している場合に前記発光手段を発光させる。
【００１６】
第５の発明によれば、起床時刻となる以前においても適正なる覚醒制御を実施できる。この場合、起床時刻よりも以前から徐々に覚醒を促すことになるため、起床時刻において快適なる目覚めをもたらすことができる。
【００１７】
第６の発明では、ユーザが覚醒状態にあるかどうかを検出する覚醒状態検出手段を備え、前記制御手段は、前記覚醒状態検出手段の検出結果に基づいて、前記発光手段に加えてこれとは別の屋内照明器具による発光を行わせる。
【００１８】
第６の発明によれば、起床時刻になってもユーザが目覚めない場合に、都度の外光量に関係なく建物内空間を十分に明るくすることができる。つまり、外光と発光手段による発光とでは覚醒しないユーザに対して、さらに強い明るさを感じさせることにより覚醒を促すことができる。
【００１９】
第７の発明では、前記制御手段は、前記ブラインドカーテンが遮光状態にある場合に、前記ブラインドカーテンによる遮光量に応じて前記発光手段を発光させる。
【００２０】
太陽光が開口部を通じて直接導入されることなどにより建物内空間において人が眩しさを感じる場合、ブラインドカーテンを遮光状態に移行させることにより眩しさを解消することはできるが、それに伴って建物内空間が暗くなってしまうことが懸念される。この点、第７の発明によれば、ブラインドカーテンが遮光状態にある場合に、ブラインドカーテンによる遮光量に応じて発光手段が発光されるため、太陽光が眩しい等の不都合を抑制しつつも建物内空間の明るさを確保できる。
【００２１】
第８の発明では、前記制御手段は、前記外光量情報取得手段により取得した外光量情報と前記ブラインドカーテンのスラット開度とに基づいて前記遮光量を算出し、該算出した遮光量に基づいて前記発光手段を発光させる。
【００２２】
ブラインドカーテンによる遮光量に応じて発光手段を発光させる場合、第８の発明のように、外光量情報とスラット開度とに基づいて遮光量を算出することが好ましい。
【図面の簡単な説明】
【００２３】
【図１】本実施形態における建物の寝室周辺の概略構成を示す図。
【図２】スラットの概略断面構造を示す図。
【図３】シャッタ装置の動作制御を行うための電気的な構成を示すブロック図。
【図４】覚醒制御の処理手順を示すフローチャート。
【図５】昼間シャッタ制御の処理手順を示すフローチャート。
【発明を実施するための形態】
【００２４】
以下、本発明を具体化した一実施形態を図面に基づいて説明する。図１は建物１０の寝室１２周辺の概略構成を示す図である。
【００２５】
図１に示すように、住宅等の建物１０には建物内空間としての寝室１２が設けられており、寝室１２には就寝用のベッド１５が設置されている。寝室１２の壁面１２ａには、目覚ましタイマの設定機能などを有する操作盤１７が設置されている。寝室１２内には、壁面１２ａや天井面１２ｂに寝室１２内の全体を明るくするための屋内照明器具１８が設置されている。
【００２６】
寝室１２において、屋外側の壁面１２ａを形成する外壁２１には開口部としての窓部２２が設けられている。窓部２２には、ガラス板を有するガラス戸からなるサッシ戸２３が設けられるとともに、その屋内側にシャッタ装置３１が設けられている。シャッタ装置３１は、複数のスラット３５を有し上下方向に昇降移動するブラインドカーテンとしてのシャッタカーテン３２と、シャッタカーテン３２を巻回した状態で収納するシャッタケース３３とを有している。本実施形態では、シャッタカーテン３２の昇降とスラット３５の角度調整（開閉）とを電気モータ等により行う電動式シャッタ装置を採用している。
【００２７】
シャッタカーテン３２において、スラット３５は長尺板状をなしており、上下方向に並んだ状態で連結されている。スラット３５は、例えば非透光性を有する合成樹脂材料により構成されている。シャッタカーテン３２にはスラット角度を調整する角度調整機構が設けられており、例えばシャッタケース３３に設けられたスラット駆動手段としてのスラット駆動部３７により角度調整機構が駆動されてスラット角度が調整されるようになっている。この場合、全スラット３５の角度が一斉に変更される。また、シャッタケース３３には、シャッタカーテン３２を昇降させるための昇降駆動部３８が設けられている。
【００２８】
ここで、スラット３５の詳細を図２を用いて説明する。図２はスラット３５の概略断面構造を示す図であり、（ａ）は全閉状態にあるスラット３５を示し、（ｂ）、（ｃ）はそれぞれ所定の開放状態にあるスラット３５を示す。スラット３５には回動軸としての軸部３５ａが設けられており、スラット３５の回動により図２（ａ）〜（ｃ）の各状態に移行できるようになっている。
【００２９】
図２（ａ）では、スラット３５の縦断面長手方向（正面視では短手方向）が鉛直方向と一致しており、この状態では上下に隣接するスラット３５間の隙間がないか、あったとしても僅かなものとなっている。これがスラット全閉状態である。なお、スラット３５の下端部には斜め下方に延びるテール部５１が設けられており、屋外側から見て上側スラットのテール部５１が下側スラットに重なっていることでスラット全閉状態での遮光性が高められている。
【００３０】
また、各スラット３５には、スラット全閉状態で屋内側（寝室１２側）となるスラット側面部に発光手段としてのスラットＬＥＤ５３が設けられている。スラットＬＥＤ５３は、正面視短手方向で言えばスラット３５の略中央に設けられ、正面視長手方向で言えば点在して複数設けられている。スラットＬＥＤ５３は、ＬＥＤ取付面であるスラット側面部に対して略直交する方向に光を発するものとなっている。また、スラットＬＥＤ５３は、スラット側面部に埋め込まれた状態で取り付けられている。なお、スラットＬＥＤ５３の光を発する方向はスラット側面部に対して略直交していなくてもよい。
【００３１】
各スラット３５のスラットＬＥＤ５３は、左右横方向の設置間隔（同一スラットの横方向のＬＥＤピッチ）が上下方向の設置間隔（隣接する上下２つのスラットにおけるＬＥＤピッチ）よりも短くなるように設置されており、それゆえに、ＬＥＤ発光状態ではあたかも、横方向にすなわちスラット３５の長手方向に連続する光が発せられているように視認される。
【００３２】
上記のようにスラット長手方向に連続するような光が発せられることにより、スラット全閉状態であっても、シャッタカーテン３２を、スラット３５間に隙間が形成されてその隙間から外光が差し込んでいるような状態にすることができる。
【００３３】
また、図２（ｂ）では、スラット３５のテール部側の端部（スラット全閉状態での下端部）が屋外側、それとは反対側の端部（スラット全閉状態での上端部）が屋内側となるよう回動し、スラット３５の縦断面長手方向が鉛直方向に対して角度θ１だけ傾いた状態になっている。θ１＜９０°である。この場合、上下に隣接するスラット３５間に隙間が形成される。図２（ｂ）の状態では、スラット３５のＬＥＤ取付面は寝室１２側の斜め下方を向いている。
【００３４】
さらに、図２（ｃ）では、図２（ｂ）と同じくスラット３５のテール部側の端部（スラット全閉状態での下端部）が屋外側、それとは反対側の端部（スラット全閉状態での上端部）が屋内側となるよう回動し、スラット３５の縦断面長手方向が鉛直方向に対して角度θ２だけ傾いた状態になっている。θ２＞９０°である。図２（ｃ）の状態は、（ａ）→（ｂ）→（ｃ）のように回動する場合の最大回動状態であり、その最大回動状態での角度θ２は例えば１１０°である。図２（ｃ）の状態では、スラット３５のＬＥＤ取付面が屋外側の斜め下方を向いている。
【００３５】
図２（ｂ）（ｃ）のようにスラット３５が回動する場合、スラットＬＥＤ５３の発光方向が変更される。これにより、スラットＬＥＤ５３が発光する場合において、各ＬＥＤ５３が同様の発光状態にあっても、寝室１２内に取り込まれる光量を調整することが可能となる。図２（ｂ）（ｃ）を比較した場合には、図２（ｂ）の方がＬＥＤ光の屋内導入量が多いこととなる。スラット開放状態でかつ屋外が明るい場合には、外光と共にＬＥＤ光が寝室１２内に導入されることとなる。
【００３６】
次に、シャッタ装置３１の動作制御を行うための電気的な構成について、図３を参照しつつ説明する。
【００３７】
図３において、制御手段としての寝室サーバ６１は、ＣＰＵや各種メモリ等からなるマイクロコンピュータを含んで構成されており、記憶部６２とタイマ６３とを有している。記憶部６２は例えば人の生体情報を記憶することが可能であり、タイマ６３は例えば人の生体情報に合わせて時間計測を行うことが可能となっている。なお、寝室サーバ６１は、例えば寝室１２において操作盤１７と一体的に設けられている。
【００３８】
寝室サーバ６１には、操作盤１７、生体センサ６５、外光センサ６６が接続されている。操作盤１７においてユーザにより起床時間がセットされると、操作盤１７から寝室サーバ６１に対して起床時間に関する信号が出力される。また、生体センサ６５や外光センサ６６の検出信号も寝室サーバ６１に対して逐次出力される。
【００３９】
生体センサ６５は、就寝中の人の生体情報を検出する生体情報検出手段であり、例えばベッド１５のマットレスや枕に設けられている。生体センサ６５が検出する生体情報としては、睡眠中の人の体温や心拍数などが挙げられる。寝室サーバ６１は、この生体センサ６５の検出信号に基づいてベッド１５上の人が覚醒状態にあるかどうかを判定する。外光センサ６６は、例えば窓部２２の屋外側の面に取り付けられており、外光（屋外における光）の照度を検出する外光検出手段となっている。
【００４０】
また、寝室サーバ６１には、屋内照明器具１８及びシャッタ制御部６８が接続されている。寝室サーバ６１は指令信号を出力することにより屋内照明器具１８の動作制御を行う。シャッタ制御部６８には、スラット駆動部３７、昇降駆動部３８、スラットＬＥＤ５３が接続されており、シャッタ制御部６８は指令信号を出力することでそれらスラット駆動部３７、昇降駆動部３８、スラットＬＥＤ５３を駆動させる。
【００４１】
さらに、寝室サーバ６１にはホームサーバ６９が接続されており、ホームサーバ６９は寝室サーバ６１と同様にＣＰＵや各種メモリ等からなるマイクロコンピュータを含んで構成されている。ホームサーバ６９には寝室サーバ６１の他にトイレサーバや風呂サーバが接続されており、ホームサーバ６９や他のサーバにより健康管理ネットワークが構築されている。ホームサーバ６９や寝室サーバ６１、他のサーバは、健康管理ネットワークを介して生体情報を共有しており、生体センサ６５により検出された生体情報の他にも、例えば腕時計に内蔵された生体センサにより検出された生体情報のやり取りを行っている。
【００４２】
本実施形態では、ユーザの起床時においてシャッタ装置３１を用いた覚醒制御を実施する。すなわち、この覚醒制御により寝室１２内に外光を積極的に導入し、その外光の導入により寝室１２を明るくしてユーザの快適な目覚めを行わせるものとしている。より具体的には、外光量情報として、屋外における実際の外光量（実外光量Ｌａ）と、スラット３５を所定開放状態とした場合にシャッタカーテン３２を通じて寝室１２内に導入可能な外光量（導入可能外光量Ｌｂ）とを算出し、それらに基づいてシャッタカーテン３２のスラット開閉制御とスラットＬＥＤ５３の発光制御とを実施する。
【００４３】
以下、覚醒制御の詳細を図４を用いて詳細に説明する。図４は、覚醒制御の処理手順を示すフローチャートであり、本処理は、寝室サーバ６１によって所定周期で実行される。本覚醒制御は、例えば起床時刻が設定されており、覚醒制御モードになっていることを条件として起動されるようになっている。
【００４４】
図４において、ステップＳ１１では、今現在、起床時刻に基づいて設定される覚醒制御期間であるか否かを判定する。覚醒制御期間は、起床時刻を挟んでその前後を含む期間であり、起床時刻以前の所定時点から同起床時間までの前段期間（起床前期間に相当）と、起床時刻以降の所定時間までの後段期間とからなる。例えば、起床時刻がａｍ７：００である場合、前段期間はａｍ６：４０〜ａｍ７：００とされ、後段期間はａｍ７：００〜ａｍ７：１０とされる。
【００４５】
覚醒制御期間であればステップＳ１２に進み、外光センサ６６の検出信号に基づいて、現時点の実外光量Ｌａを算出するとともに、スラット３５を所定開放状態にすることでシャッタカーテン３２を通じて寝室１２内に導入可能となる外光量（導入可能外光量Ｌｂ）を算出する。導入可能外光量Ｌｂについて具体的には、例えばシャッタカーテン３２を図２（ｃ）の状態、すなわちスラット角度をθ２（＝１１０°）とした場合を想定し、その状態下でシャッタカーテン３２を通じて導入される外光量を、都度の実外光量Ｌａに基づいて算出する。ちなみに、想定されるスラット開放状態が小開度であるほど、実外光量Ｌａに対して導入可能外光量Ｌｂが小さい値として算出される。
【００４６】
その後、ステップＳ１３では、起床時刻前であるか否かを判定する。そして、起床時刻前であればステップＳ１４に進んで覚醒準備のための前段処理を実施し、起床時刻後であればステップＳ１８に進んで後段処理を実施する。
【００４７】
ステップＳ１４〜Ｓ１７が前段処理に相当する。この前段処理は、起床時刻前においてユーザを覚醒状態に徐々に近づけるための制御であり、起床時刻に達した時点でユーザを快適に覚醒状態にするべくその起床時刻以前に実施される。具体的には、ステップＳ１４では、覚醒制御期間内の前段期間における外光量の基準となる第１基準外光量Ｒｅｆ１を設定する。第１基準外光量Ｒｅｆ１は、ユーザの覚醒準備に必要となる外光量であり、例えば１年のうちで夏季の晴天時を想定しその早朝時の外光量を基に定められている。なお、第１基準外光量Ｒｅｆ１は、前段期間内での時間経過に伴う光量変化が加味されて、時間の経過に合わせて徐々に増加されていくとよい。
【００４８】
その後、ステップＳ１５では、ステップＳ１２で算出した実外光量Ｌａが第１基準外光量Ｒｅｆ１以上であるか否かを判定する。そして、Ｌａ≧Ｒｅｆ１であればステップＳ１６に進み、Ｌａ＜Ｒｅｆ１であればステップＳ１７に進む。
【００４９】
覚醒準備を行う上で屋外が十分明るくなっていればＬａ≧Ｒｅｆ１となり、第１基準外光量Ｒｅｆ１に対して外光量が不足していないとしてステップＳ１６に進む。ステップＳ１６では、シャッタカーテン３２の開閉制御を実施して外光の導入により寝室１２内を徐々に明るくする。このとき、スラット角度を徐々に大きくして外光導入量を徐々に大きくする。
【００５０】
また、覚醒準備を行う上で屋外が未だ暗ければＬａ＜Ｒｅｆ１となり、第１基準外光量Ｒｅｆ１に対して外光量が不足しているとしてステップＳ１７に進む。ステップＳ１７では、スラットＬＥＤ５３の発光制御を実施してＬＥＤ光により寝室１２内を徐々に明るくする。このとき、スラットＬＥＤ５３を発光状態にするとともにスラット角度の制御によりＬＥＤ発光方向を徐々に変更することで、シャッタカーテン３２としての発光量を調整する。スラットＬＥＤ５３の発光量が調整できる場合には、そのＬＥＤ発光量を徐々に増加させてもよい。
【００５１】
一方で、ステップＳ１８〜Ｓ２３が後段処理に相当する。この後段処理は、起床時刻になった時及びそれ以降所定時間内においてユーザを確実に覚醒状態にするための制御である。具体的には、ステップＳ１８では、覚醒制御期間内の後段期間における外光量の基準となる第２基準外光量Ｒｅｆ２を設定する。第２基準外光量Ｒｅｆ２は、ユーザの覚醒完了に必要となる外光量であり、例えば１年のうちで夏季の晴天時を想定しその早朝時の外光量を基に定められている。
【００５２】
その後、ステップＳ１９では、ステップＳ１２で算出した導入可能外光量Ｌｂが第２基準外光量Ｒｅｆ２以上であるか否かを算出する。そして、Ｌｂ≧Ｒｅｆ２であればステップＳ２０に進み、Ｌｂ＜Ｒｅｆ２であればステップＳ２１に進む。
【００５３】
覚醒を完了させる上で屋外が十分に明るくなっていればＬｂ≧Ｒｅｆ２となり、第２基準外光量Ｒｅｆ２に対して外光量が不足していないとしてステップＳ２０に進む。ステップＳ２０では、シャッタカーテン３２の開閉制御を実施して外光の導入により寝室１２内を明るくする。このとき、第２基準外光量Ｒｅｆ２に対して導入可能外光量Ｌｂがほぼ同量であれば、シャッタカーテン３２を、図２（ｃ）の状態、すなわち導入可能外光量Ｌｂの算出で想定したスラット角度（θ２）に制御する。また、第２基準外光量Ｒｅｆ２に対して導入可能外光量Ｌｂが過剰に大きい場合には、その過剰分に基づいて、シャッタカーテン３２のスラット３５を閉じ側（θ２よりも閉じ側）に制御するとよい。
【００５４】
また、覚醒を完了させる上で屋外が未だ暗ければＬｂ＜Ｒｅｆ２となり、第２基準外光量Ｒｅｆ２に対して外光量が不足しているとしてステップＳ２１に進む。ステップＳ２１では、スラットＬＥＤ５３の発光制御を実施してＬＥＤ光により寝室１２内を明るくする。このとき、スラットＬＥＤ５３を発光状態にするとともにスラット角度の制御によりＬＥＤ発光方向を調整することで、第２基準外光量Ｒｅｆ２に対する導入可能外光量Ｌｂの不足分を補うようにしてシャッタカーテン３２としての発光量を調整する。スラットＬＥＤ５３の発光量が調整できる場合には、第２基準外光量Ｒｅｆ２に対する導入可能外光量Ｌｂの不足分に基づいてＬＥＤ発光量を制御してもよい。
【００５５】
その後、ステップＳ２２では、生体センサ６５の検出信号に基づいて、ユーザが覚醒状態にあるか否か（目覚めたか否か）を判定する。そして、覚醒状態になければ（ステップＳ２２がＮＯ）、ステップＳ２３に進み、屋内照明器具１８による発光を行わせる。これにより、既に起床時刻になっているにもかかわらず覚醒していないユーザの覚醒が促される。
【００５６】
また本実施形態では、起床時以外に、昼間等にもシャッタ装置３１の制御を行うこととしており、例えば、太陽光が直接屋内に差し込み、それが眩しい場合に、太陽光の眩しさを回避しつつ屋内の明るさを確保できるようにしている。
【００５７】
図５は、昼間シャッタ制御の処理手順を示すフローチャートであり、本処理は、寝室サーバ６１によって所定周期で実行される。本昼間シャッタ制御は、昼利用モードになっていることを条件として起動されるようになっている。
【００５８】
図５において、ステップＳ３１では、シャッタカーテン３２を通じて導入される外光によって人が過剰に眩しさを感じる状況であるか否かを判定する。例えば、人が過剰に眩しさを感じる外光量を過剰外光量として設定し、導入可能外光量Ｌｂが過剰外光量以上であるか否かを判定する。導入可能外光量Ｌｂが過剰基準外光量以上であれば人が過剰に眩しさを感じるとし、導入可能外光量Ｌｂが過剰基準外光量より小さければ人が過剰に眩しさを感じることがないとする。なお、ここでの外光は太陽光を想定している。また、導入可能外光量Ｌｂではなく実外光量Ｌａに基づいて、人が過剰に眩しさを感じる状況であるか否かを判定してもよい。
【００５９】
人が過剰に眩しさを感じない状況であればそのまま本処理を終了し、人が過剰に眩しさを感じる状況であればステップＳ３２に進む。ステップＳ３２では、シャッタカーテン３２の閉鎖制御を実施し、外光における眩しさの過剰分に基づいてシャッタカーテン３２のスラット３５を閉じ側に回動させる。例えば、過剰基準外光量を基準とした導入可能外光量Ｌｂの過剰分をスラット３５によって遮るようにスラット角度を制御する。
【００６０】
ステップＳ３３では、スラット３５によって遮られる遮光量を算出する。例えば、導入可能外光量Ｌｂの算出で想定したスラット角度と、閉鎖させたスラット３５のスラット角度とを対応させて導入可能外光量Ｌｂから減少する分の外光量を遮光量として算出する。
【００６１】
ステップＳ３４では、スラットＬＥＤ５３の発光制御を実施して寝室１２内の明るさを確保する。ここでは、スラット３５による遮光量と導入可能外光量Ｌｂとを対比し、導入可能外光量Ｌｂに対する遮光量の大きさに基づいてスラットＬＥＤ５３を発光させる。例えば、遮光判定の基準となる遮光判定値を設定し、導入可能外光量Ｌｂに対する遮光量の比率が遮光判定値より大きければスラットＬＥＤ５３を発光させる。これにより、スラット３５による遮光が行われた場合の光量の不足分がスラットＬＥＤ５３の発光により補われる。
【００６２】
また、導入可能外光量Ｌｂに対する遮光量の比率が遮光判定値以下である場合、スラットＬＥＤ５３を発光させない。なお、スラット３５を閉じ側へ回動させることにより導入可能外光量Ｌｂに対するスラット遮光量の割合が増加するのであれば、スラット３５を閉じ側へ回動させるとともにスラットＬＥＤ５３を発光させるとよい。
【００６３】
以上詳述した本実施形態によれば、以下の優れた効果が得られる。
【００６４】
シャッタカーテン３２のスラット３５にスラットＬＥＤ５３が設けられている構成において、スラット３５の角度やスラットＬＥＤ５３の発光が実外光量Ｌａや導入可能外光量Ｌｂに基づいて制御されるため、覚醒制御及び昼間シャッタ制御のいずれにおいても屋外の明るさや寝室１２への外光の導入状況に合わせて室内環境を変えることができる。また、この構成においてスラットＬＥＤ５３が発光することにより、スラットＬＥＤ５３の発光によりシャッタカーテン３２を通じて外光が導入されている場合と同様の又はそれに類似した状況を作り出すことができる。以上の結果、寝室１２に外光が取り込まれている雰囲気を適宜作り出すことができる。
【００６５】
起床時刻に基づいて設定された覚醒制御期間において覚醒制御が実行されるため、起床時刻に合わせて、シャッタカーテン３２を通じて外光を実際に寝室１２内に取り込むことや、外光が取り込まれているような雰囲気をスラットＬＥＤ５３の発光によって作り出すことが可能となる。したがって、ユーザに快適な目覚めをもたらすことができる。
【００６６】
覚醒制御において、実外光量Ｌａが第１基準外光量Ｒｅｆ１より小さい場合にスラットＬＥＤ５３を発光させるため、覚醒準備を行う上で屋外が未だ暗くてもスラットＬＥＤ５３の発光により人の目覚めを促すことができる。また、実外光量Ｌａが第１基準外光量Ｒｅｆ１以上である場合は、シャッタカーテン３２を通じて取り込んだ外光により人の目覚めを促すことができる。つまり、屋外の明るさに関係なく覚醒に必要な光量を寝室１２において確保することができる。したがって、例えば、雨天時において晴天時と比較して外光量が少ない場合や、冬季において日の出が夏季に比べて遅い場合があっても、起床時にはほぼ同様に寝室１２内を明るくすることができる。
【００６７】
覚醒制御の前段期間において外光の取り込みやスラットＬＥＤ５３の発光が行われるため、起床時刻よりも以前から徐々に覚醒が促されることになる。この場合、人の睡眠状態が徐々に覚醒状態に移行することになるため、起床時刻において快適なる目覚めをもたらすことができる。
【００６８】
覚醒制御の後段期間において、外光の取り込みやスラットＬＥＤ５３の発光が行われてもユーザが覚醒しない場合、屋内照明器具１８の発光が行われるため、人が起床時刻を過ぎて寝過ごしてしまうことを抑制できる。また、この場合、屋内照明器具１８の発光により寝室１２内の明るさが確保されるため、屋外の明るさに関係なく目覚めを促すことができる。
【００６９】
昼間シャッタ制御期間において、寝室１２内に取り込まれる外光によって人が過剰に眩しさを感じる場合に、スラット３５の閉鎖制御が実施されるとともにスラットＬＥＤ５３の発光が行われるため、外光による眩しさを低減させつつ寝室１２内の明るさを確保することが可能となる。
【００７０】
スラットＬＥＤ５３が正面視短手方向で言えばスラット３５の略中央に設けられ、正面視長手方向で言えば点在して複数設けられているため、スラット３５が全閉状態とされていても、外光がスラット３５間を通じて寝室１２へ差し込んでいるような雰囲気を作り出すことができる。また、スラットＬＥＤ５３の光は指向性を有しているため、スラット３５を回動させることにより、寝室１２内に取り込まれる光量を調整するだけでなく照射位置を調整することができる。例えば、ベッド１５周辺にスラットＬＥＤ５３の光を照射させて人の覚醒効果を高めることや、化粧台周辺にスラットＬＥＤ５３の光を照射させて化粧に適した環境を提供することが可能となる。
【００７１】
（他の実施形態）
本発明は上記実施形態の記載内容に限定されず、例えば次のように実施してもよい。
【００７２】
（１）発光手段としてのスラットＬＥＤ５３は、スラット３５の正面視短手方向においてスラット３５の端部に設けられていてもよく、複数設けられていてもよい。また、スラット３５の正面視長手方向においてスラット３５の中央や端部に部分的に設けられていてもよい。さらに、各スラット３５においては、左右横方向の設置間隔が上下方向の設置間隔よりも長くなるように設置されていてもよい。
【００７３】
（２）スラットＬＥＤ５３は、スラット３５の長手方向にして複数設けられているが、ライン状（線状）に発光するＬＥＤ器具を用いることで、スラット長手方向に連続する光を発光させる構成であってもよい。また、スラット３５に、その長手方向に沿って導光部材又は反射部材を設けるとともに、その導光部材又は反射部材に対して発光を行う光源（ＬＥＤ）を設ける構成としてもよい。この場合、導光部材又は反射部材により屋内側への発光が行われる。本構成によれば、光源として使用するＬＥＤを極力少なくすることができる。
【００７４】
（３）スラット３５に取り付けられる発光手段としては、スラットＬＥＤ５３に加えて、スラットＬＥＤ５３よりも指向性の低い光を発生させる蛍光灯や白熱灯などが挙げられる。なお、小型の発光手段がスラット３５に取り付けられることが好ましい。
【００７５】
（４）シャッタ装置３１に太陽光発電装置が設けられていてもよい。例えば、太陽光発電装置の受光面によりスラット３５における屋外側の面の少なくとも一部が形成されている構成とする。この場合、太陽光発電装にて発生した電力がスラット駆動部３７や昇降駆動部３８に供給される構成や、商用電力とともに建物設備に供給される構成とすることにより、省エネルギ効果を得ることができる。
【００７６】
（５）シャッタカーテン３２において各スラット３５は個別に開閉動作してもよい。この場合、例えば、シャッタカーテン３２における中央部分のスラット３５を全閉状態にしつつ、その他のスラット３５を開放状態とすることが可能となる。
【００７７】
（６）シャッタカーテン３２においてスラット３５が回動することにより開閉する構成としたが、スラット３５がスライド移動することにより開閉する構成としてもよい。例えば、上下に隣接するスラット３５のうち一方のスラット３５が他方のスラット３５と重なる位置へスライド移動する構成とする。
【００７８】
（７）窓部２２において、シャッタ装置３１はサッシ戸２３よりも屋外側に設けられていてもよい。この場合、シャッタカーテン３２は屋外側にてサッシ戸２３と重なるため、スラット３５を全閉状態としてスラットＬＥＤ５３を発光させると、スラットＬＥＤ５３の光は外光と同様にサッシ戸２３を透過して寝室１２に差し込む。したがって、スラットＬＥＤ５３を発光させた場合の雰囲気を、実際に外光が寝室１２に差し込む雰囲気に近づけることができる。また、窓部２２にサッシ戸２３は設けられていなくてもよい。
【００７９】
（８）シャッタカーテン３２において、複数のスラット３５は水平方向に並んだ状態で連結されていてもよい。要は、スラット３５が開放状態にある場合にスラット３５間から外光が寝室１２に差し込む構成であればよい。
【００８０】
（９）シャッタ装置３１は、屋根や天井に形成された窓部に対して設けられていてもよく、外壁２１に形成された出入口に対して設けられていてもよい。要は、シャッタ装置３１は、外光が寝室１２へ差し込む開口部に対して設けられていればよい。
【００８１】
（１０）外光センサ６６は太陽光の照度や太陽の高度を検出してもよい。この場合、寝室サーバ６１において、外光センサ６６により検出された太陽光の照度や太陽の高度に基づいて現在の季節や時刻を算出することや、太陽光の照度や光量を過去の記憶データと比較することにより現在の天候を算出することが可能となる。また、寝室サーバ６１の記憶部６２にシャッタカーテン３２の取り付け角度に関する情報が記憶されていれば、寝室サーバ６１はシャッタカーテン３２と太陽光との相対的な角度を算出することが可能となる。
【００８２】
（１１）シャッタ装置３１は、リビングやダイニング等の建物内空間における開口部に対して設けられていてもよい。
【００８３】
（１２）寝室サーバ６１やホームサーバ６９に例えばインターネットへの接続が可能な通信部が設けられていてもよい。この場合、寝室サーバ６１は、通信部から気象情報や日中の日射情報等を外光量情報として取得し、その外光量情報に基づいて実外光量Ｌａ等を算出してもよい。
【符号の説明】
【００８４】
１０…建物、１２…建物内空間としての寝室、１８…照明器具としての屋内照明器具、２２…開口部としての窓部、３２…ブラインドカーテンとしてのシャッタカーテン、３５…スラット、３７…スラット駆動手段としてのスラット駆動部、５３…発光手段としてのスラットＬＥＤ５３、６１…制御手段としての寝室サーバ、６５…覚醒状態検出手段としての生体センサ、６６…外光量情報取得手段を構成する外光センサ。
【図１】
2010248833.tif 000003
【図２】
2010248833.tif 000004
【図３】
2010248833.tif 000005
【図４】
2010248833.tif 000006
【図５】
2010248833.tif 000007